(57)【要約】      （修正有）【課題】押圧に対する強度を向上させた段ボール製ブロックおもちゃ用板紙を提供する。【解決手段】箱型の段ボール製ブロックおもちゃを組み立てるための段ボール製ブロックおもちゃ用板紙は、組立てられた状態で箱型を形成する段ボール製ブロックの上面、下面及び４つの側面に相当するそれぞれ上面部分１１、下面部分１２及び４つの側面部分１３と、４つの側面部分のうちの対向する第１の側面部分１３ａ及び第２の側面部分１３ｂそれぞれから互いに反対方向に延びる２つの辺部分である第１の辺部分１８ａと第２の辺部分１８ｂとを備え、組立てられる際に、第１の側面部分の第１の辺部分と第２の辺部分が交差して結合し、第２の側面部分の第１の辺部分と第２の辺部分が交差して結合し、さらに、第１の側面部分の第１の辺部分及び第２の辺部分のいずれか一方と第２の側面部分の第１の辺部分及び第２の辺部分のいずれか一方とが交差して結合する。【選択図】図１
0003228044.tif 000002
【実用新案登録請求の範囲】
【請求項１】
箱型の段ボール製ブロックおもちゃを組み立てるための段ボール製ブロックおもちゃ用板紙であって、
組立てられた状態で箱型を形成する段ボール製ブロックの上面、下面及び４つの側面に相当するそれぞれ上面部分、下面部分及び４つの側面部分と、
前記４つの側面部分のうちの対向する第１の側面部分及び第２の側面部分それぞれから互いに反対方向に延びる２つの辺部分である第１の辺部分と第２の辺部分とを備え、
組立てられた際に、前記第１の側面部分の前記第１の辺部分と前記第２の辺部分が交差して結合し、前記第２の側面部分の前記第１の辺部分と前記第２の辺部分が交差して結合し、さらに、前記第１の側面部分の前記第１の辺部分及び前記第２の辺部分のいずれか一方と前記第２の側面部分の前記第１の辺部分及び前記第２の辺部分のいずれか一方とが交差して結合するように組立可能に形成されることを特徴とする段ボール製ブロックおもちゃ用板紙。
【請求項２】
請求項１に記載の段ボール製ブロックおもちゃ用板紙を折り曲げて組立てられた段ボール製ブロックおもちゃ。
【考案の詳細な説明】
【技術分野】
【０００１】
本考案は、段ボール製ブロックおもちゃを組み立てるための段ボール製ブロック用板紙及びそれにより組立てられる段ボール製ブロックおもちゃに関する。
【背景技術】
【０００２】
段ボールの板紙を箱型に組み立ててブロックおもちゃとし、これを多数結合させ、そして積み重ねてさまざまな物体の形状を作り上げる子供用のブロックおもちゃが知られている（特許文献１参照）。特に、特許文献１に開示されるダンボール製ブロックは、本出願の考案者により考案されたものであり、段ボールの罫線が中芯の段目方向に対して４５度の傾斜角をもって設定される構造を有し、ブロックの強度が均一となるように構成される。
【先行技術文献】
【特許文献】
【０００３】
【特許文献１】実用新案登録第３２１９３１６号
【考案の概要】
【考案が解決しようとする課題】
【０００４】
本出願の考案者は、さらに、段ボール製ブロックおもちゃの改良について鋭意研究を進め、今回、押圧に対する強度を向上させた段ボール製ブロックの開発に至った。
【０００５】
本考案の目的は、新規な段ボール製ブロック用板紙及びそれにより形成される段ボール製ブロックを提供することにあり、特に、押圧に対する強度を向上させた段ボール製ブロックを提供することにある。
【課題を解決するための手段】
【０００６】
上記目的を達成するための本考案は、箱型の段ボール製ブロックおもちゃを組み立てるための段ボール製ブロックおもちゃ用板紙であって、組立てられた状態で箱型を形成する段ボール製ブロックの上面、下面及び４つの側面に相当するそれぞれ上面部分、下面部分及び４つの側面部分と、前記４つの側面部分のうちの対向する第１の側面部分及び第２の側面部分それぞれから互いに反対方向に延びる２つの辺部分である第１の辺部分と第２の辺部分とを備え、組立てられた際に、前記第１の側面部分の前記第１の辺部分と前記第２の辺部分が交差して結合し、前記第２の側面部分の前記第１の辺部分と前記第２の辺部分が交差して結合し、さらに、前記第１の側面部分の前記第１の辺部分及び前記第２の辺部分のいずれか一方と前記第２の側面部分の前記第１の辺部分及び前記第２の辺部分のいずれか一方とが交差して結合するように組立可能に形成されることを特徴とする。
【０００７】
そして、上記段ボール製ブロックおもちゃ用板紙により組立てられた段ボール製ブロックおもちゃが提供される。
【考案の効果】
【０００８】
本考案によれば、押圧に対する強度が向上した段ボール製ブロックおもちゃ用板紙及びそれにより組立てられる段ボール製ブロックおもちゃが提供される。
【図面の簡単な説明】
【０００９】
【図１】本考案の実施の形態における段ボール製ブロックおもちゃ用板紙の正面図である。
【図２】本考案の実施の形態における段ボール製ブロックおもちゃ用板紙の六面図を示す。
【図３】本考案品を折り曲げて直方体形状に組立てられて作成された段ボール製ブロックおもちゃの外観構成を示す斜視図である。
【図４】本考案品による段ボール製ブロックおもちゃの外観を示す写真である。
【図５】複数の段ボール製ブロックおもちゃが積み重ねられた状態を示す写真である。
【図６】複数の段ボール製ブロックおもちゃが積み重ねられた状態を示す写真である。
【図７】本考案品による段ボール製ブロックおもちゃの組立てられた状態における内部を示す写真である。
【図８】本考案品による段ボール製ブロックおもちゃの組立てられた状態における内部を示す写真である。
【考案を実施するための形態】
【００１０】
以下、図面を参照して本考案の実施の形態について説明する。しかしながら、かかる実施の形態例が、本考案の技術的範囲を限定するものではない。
【００１１】
図１は、本考案の実施の形態における段ボール製ブロックおもちゃ用板紙の正面図であり、図２は、段ボール製ブロックおもちゃ用板紙の六面図を示す。背面図は、正面図と対称に現れるため省略する。本考案における段ボール製ブロックおもちゃ用板紙（本考案品）１０は、段ボールシートを素材とし、段ボール製のブロックおもちゃを形成するための板紙であって、段ボールブロックおもちゃの展開した形状を有し、本考案品によって形成されるブロックおもちゃは、これを折り曲げて直方体形状の箱型に組み立てて作成される。段ボールシートは、波状に形成される中芯と、中芯の一面側に設けられる表ライナと、中芯の他面側に設けられる裏ライナとを有してなり、裏ライナには本考案品を折り曲げる線となる罫線が設けられる。
【００１２】
本考案における段ボール製ブロックおもちゃ用板紙１０は、組立てられた状態で箱型を形成する段ボール製ブロックおもちゃの上面、下面及び４つの側面に相当するそれぞれ上面部分１１、下面部分１２及び４つの側面部分１３と、当該４つの側面部分１３のうちの対向する第１の側面部分１３ａ及び第２の側面部分１３ｂそれぞれから互いに反対方向に延びる２つの辺部分である第１の辺部分１８ａと第２の辺部分１８ｂとを備え、組立てられた際に、第１の側面部分１３ａの第１の辺部分１８ａと第２の辺部分１８ｂが交差して結合し、第２の側面部分１３ｂの第１の辺部分１８ａと第２の辺部分１８ｂが交差して結合し、さらに、第１の側面部分１３ａの第１の辺部分１８ａと第２の側面部分１３ｂの第２の辺部分１８ｂとが交差して結合するように組立可能に形成される。第１の側面部分１３ａの第２の辺部分１８ｂと第２の側面部分１３ｂの第１の辺部分１８ａとが交差して結合するようにしてもよい。これにより、ブロックおもちゃの内部空間で４つの辺部分が対角線上に交差して結合し、箱内部を支持する補強支持構造が形成され、上方向からの押圧（上面に対する圧力）に対する耐性強度が向上する。
【００１３】
図３は、本考案品を折り曲げて直方体形状に組立てられて作成された段ボール製ブロックおもちゃの外観構成を示す斜視図であり、図４は、その外観を示す写真である。段ボールシートに形取られた本考案品のブランクを打ち抜き、これを罫線に沿って折り曲げて直方体形状に形成し、図３及び図４に示す段ボール製ブロックおもちゃ１が組み立てられる。
【００１４】
段ボール製ブロックおもちゃは、表面の突起部１４に対して別の段ボール製ブロック（ブロックおもちゃ）の孔部１６を嵌合させることによりブロックおもちゃを結合させ、及び積み重ねることにより、任意の形状を作ることができる。本製品の寸法は、例えば幅２３０ｍｍ×高さ６０ｍｍ（突起部の高さを除く）×奥行き１１０ｍｍ程度である。
【００１５】
図５及び図６は、複数の段ボール製ブロックおもちゃが積み重ねられた状態を示す写真である。突起部１４は、段ボール製ブロックおもちゃ１の周囲を囲む４つの各側面の上端から上方に突出するように形成され、長辺側には、一面につき複数の突起部１４が設けられてもよい。一方、孔部１６は、２つの段ボール製ブロックおもちゃ１が上下に積み重ねられる場合、下側の段ボール製ブロックおもちゃ１の突起部１４が上側の段ボール製ブロックの孔部１６に嵌合するように段ボール製ブロック１の４つの各側面の下端部の対応する位置に設けられる。さらに、孔部１６はずれた位置にも設けられ、段ボール製ブロックをずらして積み重ね、結合可能としている。
【００１６】
図７及び図８は、本考案品を折り曲げて組立てられる段ボール製ブロックおもちゃ１の組立てられた状態における内部を示す写真であって、辺部分１８同士が斜めに交差して組み立てられた状態を示す写真である。本考案品を折り曲げて組み立てる際、図７及び図８に示すように、辺部分１３の形状を工夫して互いに挟み込める切れ目（スリット）を形成し、ブロックおもちゃ１の内部空間において、第１の側面部分１３ａの対向する辺部分１８ａと１８ｂ同士、第２の側面部分１３ｂの対向する辺部分１８ａと１８ｂ同士がそれぞれ斜めに交差して結合し、さらに、左右に向かい合う第１の側面部分１３ａの第１の辺部分１８ａと第２の側面部分１３ｂの第２の辺部分１８ａ同士も対角線に沿って交差して結合するように組み立てられる。第１の側面部分１３ａと第２の側面部分１３ｂそれぞれの対向する辺部分１８ａと１８ｂ同士がそれぞれ斜めに交差して結合し、さらに、左右に向かい合う第１の側面部分１３ａの第１の辺部分１８ａと第２の側面部分１３ｂの第２の辺部分１８ａ同士も対角線に沿って交差して結合するように組み立てられる。第１の側面部分１３ａの辺部分と第２の側面部分１３ｂの辺部分同士の交差は、第１の側面部分１３ａの第１の辺部分１８ａ及び第２の辺部分１８ｂのいずれか一方と第２の側面部分１３ｂの第１の辺部分１８ａ及び第２の辺部分１８ｂのいずれか一方とが交差して結合すればよい。
【００１７】
辺部分１８の高さは、ブロックおもちゃ１０の上面及び下面の内面に接する程度の長さを有し、この互いに斜めに延びて交差する辺部分１８によって内部空間を支持する補強支持構造が形成され、上方向からの押圧に対する耐性強度が向上し、ブロックおもちゃを潰れづらくすることができる。ブロックおもちゃを積み重ねて作り上げた作品に例えばある程度重量のあるものが載せられても、形状が崩れずに維持され、また、安全に遊ぶこともできる。
【００１８】
本考案は、上記実施の形態に限定されるものではなく、本考案の分野における通常の知識を有する者であれば想到し得る各種変形、修正を含む要旨を逸脱しない範囲の設計変更があっても、本考案に含まれることは勿論である。
【符号の説明】
【００１９】
１：段ボール製ブロックおもちゃ、１０：段ボール製ブロックおもちゃ用板紙、１１：上面部分、１２：下面部分、１３：側面部分、１４：突起部、１６：孔部、１８：辺部分
【図１】
0003228044.tif 000003
【図２】
0003228044.tif 000004
【図３】
0003228044.tif 000005
【図４】
0003228044.tif 000006
【図５】
0003228044.tif 000007
【図６】
0003228044.tif 000008
【図７】
0003228044.tif 000009
【図８】
0003228044.tif 000010